(57)【特許請求の範囲】
【請求項１】
脚の上端部を嵌込んだ台板に火袋の下部を取付け、前記台板に下端部を嵌込んだ支柱に前記火袋の上部を掛止させるようにした大内行灯において、前記脚の上端部に、プラスチック製の角筒状のカバーで表面部を被覆した突起を設け、前記台板の下面側に、角穴を有するプラスチック製のブッシュを嵌着し、前記カバーの頂板部に、上向きに突出するピンを固設するとともに、前記ブッシュの底板部に、前記ピンが嵌合する穴を設け、前記突起を前記ブッシュの角穴に嵌脱させることにより前記台板と前記脚の組立・分解をおこなうようにしたことを特徴とする大内行灯。
【請求項２】
脚の上端部を嵌込んだ台板に火袋の下部を取付け、前記台板に下端部を嵌込んだ支柱に前記火袋の上部を掛止させるようにした大内行灯において、前記脚の上端部に、プラスチック製の角筒状のカバーで表面部を被覆した突起を設け、前記台板の下面側に、角穴を有するプラスチック製のブッシュを嵌着し、前記カバーの頂板部に、上向きに突出するピンを固設するとともに、前記ブッシュの底板部に、前記ピンが嵌合する穴を設け、前記支柱の下端部に、プラスチック製の角筒状の下部カバーで表面側を被覆した下部突起を設け、前記台板の上面側に、角穴を有するプラスチック製の支柱用ブッシュを嵌着し、前記突起を前記ブッシュの角穴に嵌脱させることにより前記台板と前記脚の組立・分解をおこなうとともに、前記下部突起を前記支柱用ブッシュの角穴に嵌脱させることにより前記台板と前記支柱の組立・分解をおこなうようにしたことを特徴とする大内行灯。
【請求項３】
前記下部カバーの側面部に、上下方向に延びる突条を設けた請求項２記載の大内行灯。
【請求項４】
前記支柱用ブッシュの角穴の側面部に、上下方向に延びる突条を設けた請求項２記載の大内行灯。
【請求項５】
前記カバーの側面部に、上下方向に延びる突条を設けた請求項１または２または３または４記載の大内行灯。
【請求項６】
前記ブッシュの角穴の側面部に、上下方向に延びる突条を設けた請求項１または２または３または４記載の大内行灯。
【発明の詳細な説明】
【０００１】
【発明の属する技術分野】
この発明は大内行灯に関し、さらに詳しくは、大内行灯の架台部の組立構造に関する。
【０００２】
【従来の技術】
一般に大内行灯は、段付円板状の台板に３本の脚の上端部を嵌込み、この台板の上面側に２本の支柱の下端部を嵌込み、支柱の上部に取手を取付ける形式の架台を用いている。火袋は取手取付前に下部を台板に取付け、上部を支柱に掛止させて架台に組込む。そして行灯の使用期間後は、各部を分解して各部品の形で保管される。
【０００３】
ところが上記の脚と台板の取付構造は、脚の上端部に突設した小角柱状の突起を、台板の下面に削設した角穴に嵌脱させるものであり、上記突起は脚と一体の木製のものであり、角穴も台板の木材の削設面で構成されているので、突起と角穴の嵌脱を繰返しているうちに各表面部が塑性変形して、突起と角穴の嵌合がゆるくなり、脚が傾いて行灯が傾いたり、各脚の上下中間部に嵌込んで各脚を連結している三角枠体の連結具が脱落したり、さらには脚が台板から脱落して架台の組立が不能となるなどの問題点があった。
【０００４】
また同様に支柱と台板の取付構造も、支柱の下端部に形成した木製の小角柱状の突起を、台板の上面に削設した角穴に嵌脱させるものであるので、上記と同様に嵌脱の繰返しにより変形して、支柱が台板に直立しなくなったり、取手を把持して持上げるときに支柱が台板部から脱けてしまい、火袋に過大な引張力がかかり破損するなどの問題点があった。
【０００５】
【発明が解決しようとする課題】
この発明は上記の問題点を解決しようとするもので、脚と台板の嵌合部の変形が少なく、長期にわたって脚と台板の適正な嵌合状態を維持できる耐久性に富む大内行灯を提供することを目的とする。
【０００６】
また請求項２記載の発明は上記の目的に加えて、支柱と台板の嵌合部の変形が少なく、長期にわたって支柱と台板の適正な嵌合状態を維持できる耐久性に富む大内行灯を提供することを目的とする。
【０００７】
【課題を解決するための手段】
請求項１記載の発明は、脚の上端部を嵌込んだ台板に火袋の下部を取付け、前記台板に下端部を嵌込んだ支柱に前記火袋の上部を掛止させるようにした大内行灯において、前記脚の上端部に、プラスチック製の角筒状のカバーで表面部を被覆した突起を設け、前記台板の下面側に、角穴を有するプラスチック製のブッシュを嵌着し、前記カバーの頂板部に、上向きに突出するピンを固設するとともに、前記ブッシュの底板部に、前記ピンが嵌合する穴を設け、前記突起を前記ブッシュの角穴に嵌脱させることにより前記台板と前記脚の組立・分解をおこなうようにしたことを特徴とする。
【０００８】
この発明において「上」側および「下」側とは、大内行灯の使用状態における上側および下側を指すものである。
【０００９】
このように脚の突起の表面部および台板の角穴の表面部はいずれもプラスチック製であるので、これら表面部が木製である従来のものに比べて、突起と角穴の嵌脱の繰返しによる各表面部の塑性変形量は少なく、当初の適正なしめ代を有する嵌合状態を長期間にわたって維持できる。
【００１０】
また請求項２記載の発明は、脚の上端部を嵌込んだ台板に火袋の下部を取付け、前記台板に下端部を嵌込んだ支柱に前記火袋の上部を掛止させるようにした大内行灯において、前記脚の上端部に、プラスチック製の角筒状のカバーで表面部を被覆した突起を設け、前記台板の下面側に、角穴を有するプラスチック製のブッシュを嵌着し、前記カバーの頂板部に、上向きに突出するピンを固設するとともに、前記ブッシュの底板部に、前記ピンが嵌合する穴を設け、前記支柱の下端部に、プラスチック製の角筒状の下部カバーで表面側を被覆した下部突起を設け、前記台板の上面側に、角穴を有するプラスチック製の支柱用ブッシュを嵌着し、前記突起を前記ブッシュの角穴に嵌脱させることにより前記台板と前記脚の組立・分解をおこなうとともに、前記下部突起を前記支柱用ブッシュの角穴に嵌脱させることにより前記台板と前記支柱の組立・分解をおこなうようにしたことを特徴とする。
【００１１】
このように請求項２記載の発明は、請求項１記載の発明と同じ脚の突起と台板の角穴の嵌合構造を有するので請求項１記載の発明と同じ作用が得られるのに加えて、支柱の下部突起の表面部および台板の支柱用ブッシュの角穴の表面部もプラスチック製であるので、これら支柱嵌合部の表面部が木製である従来のものに比べて、下部突起と下部ブッシュの角穴の嵌脱の繰返しによる各表面部の塑性変形量が少なく、支柱と台板も、当初の適正なしめ代を有する嵌合状態を長期にわたって維持できる。
【００１２】
この発明において、脚の突起の表面部の角筒状のカバー、ブッシュ、支柱の突起の表面部の角筒状のカバー、支柱用ブッシュ等を構成するプラスチックとしては、たとえばＡＢＳ樹脂、ポリアミド系樹脂（ナイロン）、ポリエステルなどの各種の軟質〜半硬質プラスチックを用いることができ、特にＡＢＳ樹脂は耐摩耗性および他材料に対する接着性がすぐれている点で好ましい。
【００１３】
この発明においては、前記カバーの側面および前記ブッシュの角穴の側面は、平面状としてもよいが、請求項５または６記載の発明のように、前記カバーの側面部または前記ブッシュの角穴の側面部に、上下方向に延びる突条を設けた構成とすれば、両側面部の全面が互いに密着して前記突起の角穴への嵌脱が困難となるということがなく、またこの嵌脱の際に突条間のすきまから角穴に空気が自由に出入りできるので、前記突起の角穴への嵌脱を円滑におこなうことができ、好ましい。
【００１４】
この発明においては、前記カバーの頂板部に、上向きに突出するピンを固設するとともに、前記ブッシュの底板部に、前記ピンが嵌合する穴を設けた構成としたので、脚の下端部に過大な力がかかった場合やカバーの上端部付近が摩耗した場合などにおいても、ピンと穴の嵌合により脚の大きな傾斜が抑制される。
【００１５】
また前記下部カバーの側面および前記支柱用ブッシュの角穴の側面は、平板状としてもよいが、請求項３または４記載の発明のように、前記下部カバーの側面部または前記支柱用ブッシュの角穴の側面部に、上下方向に延びる突条を設けた構成とすれば、両側面部の全面が互いに密着して前記下部突起の支柱用ブッシュの角穴への嵌脱が困難となるということがなく、またこの嵌脱の際に突条間のすきまから角穴に空気が自由に出入りできるので、前記下部突起の支柱用ブッシュの角穴への嵌脱を円滑におこなうことができ、好ましい。
【００１６】
【発明の実施の形態】
以下図１〜図８によりこの発明の実施の形態の一例を説明する。図１において、１は大内行灯で、架台２と火袋３と照明器具４とから成り、架台２は、つば付円板状の台板１１の下側に脚１２を、上側に支柱１３をそれぞれ嵌込んで組立て、火袋３の取付後に支柱１３の上部に取手１４を嵌込んで組み立てる構造のものであり、通電により発光するろうそく形の照明器具４は台板１１上に取付けられる。１５は、３本の脚１２の上下中間部に穿設した長穴１２ａに先端部を嵌脱されて各脚を連結する、三角枠体状の連結具である。
【００１７】
火袋３は、略球殻上に巻付成形した竹ヒゴなどの細線材２１（図２参照）の外周に絹や和紙などの透光素材２２を貼付けて成る火袋本体２３の上下端部に、上部化粧輪２４と下部化粧輪２５を取付けて成る。そしてこの火袋３の架台２への取付時には、下部化粧輪２５を台板１１のつば部より上側の外周部に嵌合させ、台板１１に立設した軸１６のまわりに回動させた爪片１７（図２および図８参照）により下部化粧輪２５部の抜け止めを施し、上部化粧輪２４に取付けた吊り紐２６，２６を支柱１３，１３の側部に突設したピン１８，１８に引掛けて火袋伸長状態での保持をおこなうものである。
【００１８】
脚１２の上端部には、図２〜図４に示すように、木製の脚１２と一体の四角柱状の脚本体突起部３１に、プラスチック製（この例では半硬質ＡＢＳ樹脂製）の角筒状のカバー３２を被せて接着剤により接着して成る突起３０を設けてある。カバー３２は、四角筒部３３の上端に頂板３４を連設し、四角筒部３３の側面部には、上下方向に延びる複数本（この例では１面あたり３本）の突条３５を設けるとともに、四角筒部３３に連設した頂板３４に上向きに突出するピン３６を設け、各部は射出成形により一体成形されている。
【００１９】
一方この脚１２の取付部として、台板１１の下面側には、図２および図５に示すように、角穴４１を有する３個のプラスチック製（この例では半硬質ＡＢＳ樹脂製）のブッシュ４０が、台板１１に削設した穴４２に嵌込まれ接着剤により接着されている。ブッシュ４０は、四角筒部４３の下端につば板４４を、上端に底板４５を一体に設け、脚取付時に前記カバー３２の頂板３４と対向する底板４５の中央部には、前記ピン３６が嵌合する穴４６を設け、各部は射出成形により一体に成形されている。なお図５において１１ａは照明器具４取付用の貫通穴、１１ｂは同じく凹穴である。
【００２０】
そして上記ブッシュ４０とカバー３２とは、突起３０の角穴４１への嵌込時にしまり嵌めとしての嵌合状態が得られるように、角穴４１の対辺間寸法に対しカバー３２の外形寸法（突条頂面間寸法）が所定のしめ代分（各部を構成するプラスチック材の弾性等にもよるが、この例では対辺間寸法１２．５mmの角穴に対して１０〜２０μｍ）だけ大きくなるように、成形されている。
【００２１】
また支柱１３の下端部には、図６および図７に示すように、木製の支柱１３と一体の四角柱状の支柱本体突起部５１に、プラスチック製の角筒状の下部カバー５２を被せて接着剤により接着して成る下部突起５０を設けてある。この下部カバー５２としては、この例では前記の脚用のカバー３２と同一品を用いているので、同一部分に同一符号を付して図示し、その詳細な説明は省略する。
【００２２】
この支柱１３の嵌込取付部として、台板１１の上面側には、図６および図８に示すように、角穴６１を有する２個のプラスチック製の支柱用ブッシュ６０が、台板１１に削設した穴６２に嵌込まれ接着剤により接着されている。この支柱用ブッシュ６０としては、この例では前記の脚用のブッシュ４０と同一品を用いているので、同一部分に同一符号を付して図示し、その詳細な説明は省略する。
【００２３】
上記構成の大内行灯１の架台２部を組立てるには、台板１１を底面側を上向きにして床面上などに置き、脚１２の突起３０を台板１１のブッシュ４０の角穴４１に嵌込む。３本の脚１２を台板１１に嵌込んだら、各脚の上下中間部の長穴１２ａに、三角枠状の連結具１５の先端部を嵌込んで各脚を連結する。次にこの部分組立品を上下反転させ、台板１１の支柱用ブッシュ６０の角穴６１に、支柱１３の下部突起５０を嵌込んで、２本の支柱１３を立てる。
【００２４】
その後、照明器具４や火袋３の取付け、取手１４の支柱１３への取付けなどをおこなえばよい。また行灯使用後は、上記と逆の手順で各部を分解し、支柱１３の下部突起５０は角穴６１から引抜き、脚１２の突起３０は角穴４１から引抜けばよい。
【００２５】
脚１２の突起３０および台板１１の角穴４１の各表面部は、いずれもプラスチック製なので、従来の木製のものに比べて、突起３０と角穴４１の嵌脱の繰返しによる各表面部の塑性変形量は少なく、当初のしめ代は急激には減少しないので、長期にわたって脚１２と台板１１の適正な嵌合状態が維持される。
【００２６】
また支柱１３の下部突起５０および台板１１の角穴６１の各表面部も、プラスチック製なので、従来の木製のものに比べて、下部突起５０と角穴６１の嵌脱の繰返しによる各表面部の塑性変形量は少なく、当初のしめ代は急激には減少しないので、長期にわたって支柱１３と台板１１の適正な嵌合状態が維持される。
【００２７】
また上記の突起３０の角穴４１への嵌脱時、および下部突起５０の角穴６１への嵌脱時においては、カバー３２および下部カバー５２の側面部に上下方向に延びる突条３５を設けてあるので、突起と角穴の側面部の全面が互いに密着して突起の角穴への嵌脱が困難となるということがなく、またこの嵌脱の際に突条間のすきまから空気が自由に出入りできるので、突起と角穴の嵌脱を円滑におこなうことができる。
【００２８】
この発明は上記の例に限定されるものではなく、たとえばつば板４４を省略するなど、カバー３２、下部カバー５２、ブッシュ４０、支柱用ブッシュ６０などの具体的形状や材質は、上記以外のものとしてもよい。また上記の例では、カバー３２（および下部カバー５２）の表面部に突条３５を設けたが、図９に示すように、ブッシュ４０の角穴４１（および支柱用ブッシュ６０の角穴６１）の側面部に、上下方向に延びる突条３５を設ける構成としてもよい。なお図中、図４および図５と同一または部分には同一符号を付してある。また角穴４１，６１の隅部などに通気用の溝を設けたりする場合は、突条３５の付設は省略してもよい。
【００２９】
また上記の例では、脚１２用のカバー３２およびブッシュ４０と、支柱１３用の下部カバー５２および支柱用ブッシュ６０は、同一部品を用いたので、部品が共通化され低コスト化をはかれるという利点を有するものであるが、これらを必要強度などに応じて別部品を用いるようにしてもよい。
【００３０】
また支柱１３が直棒状であるのに対して、脚１２は一般に湾曲していて突起３０部に対して脚下端部は外方へ偏心した位置にあるため、突起３０部には大きな曲げモーメントがかかりやすく、これによってカバー３２およびブッシュ４０の圧接部が局部的に弾性変形して脚１２が傾き、連結具１５が脱落したりしやすいが、上記の例ではカバー３２の頂板部に固設したピン３６がブッシュ４０の底板部の穴４６に嵌合して脚１２の大きな傾斜を抑制するという長所を有するものであるが、直棒状で上記のような大きな曲げモーメントがかかりにくい支柱１３に対しては、本発明の下部突起５０と支柱用ブッシュ６０による嵌脱構造は省略してもよい。
【００３１】
【発明の効果】
以上説明したように、請求項１記載の発明によれば、脚の突起の表面部および台板の角穴の表面部はいずれもプラスチック製であるので、これら表面部が木製である従来のものに比べて、突起と角穴の嵌脱の繰返しによる各表面部の塑性変形量は少なく、脚と台板の嵌合部の変形が少なく、長期にわたって脚と台板の適正な嵌合状態を維持できる耐久性に富む大内行灯が得られるとともに、カバーの頂板部に上向きに突出するピンを固設するとともにブッシュの底板部にピンが嵌合する穴を設けたので、ピンと穴の嵌合により脚の大きな傾斜が抑制される。
【００３２】
また上記の効果に加えて、請求項２記載の発明によれば、支柱の下部突起の表面部および台板の支柱用ブッシュの角穴の表面部もプラスチック製であるので、これら支柱嵌合部の表面部が木製である従来のものに比べて、下部突起と角穴の嵌脱の繰返しによる各表面部の塑性変形量が少なく、支柱と台板の嵌合部の変形が少なく、長期にわたって支柱と台板の適正な嵌合状態を維持できる耐久性に富む大内行灯が得られる。
【図面の簡単な説明】
【図１】この発明の実施の形態の一例を示す大内行灯の一部切欠正面図である。
【図２】図１のＡ−Ａ線断面図である。
【図３】図２における脚１２の上部正面図である。
【図４】図３のＢ−Ｂ線断面図である。
【図５】図１における台板１１の底面図である。
【図６】図１のＣ部拡大断面図である。
【図７】図６における支柱１３の下部正面図である。
【図８】図１における台板１１の平面図である。
【図９】この発明の実施の形態の他の例を示す台板１１の部分拡大底面図である。
【符号の説明】
１…大内行灯、３…火袋、１１…台板、１２…脚、１３…支柱、３０…突起、３１…脚本体突起部、３２…カバー、３４…頂板、３５…突条、３６…ピン、４０…ブッシュ、４１…角穴、４５…底板、４６…穴、５０…下部突起、５１…支柱本体突起部、５２…下部カバー、６０…支柱用ブッシュ、６１…角穴、６２…穴。
【図１】
0004183322.tif 000002
【図２】
0004183322.tif 000003
【図３】
0004183322.tif 000004
【図４】
0004183322.tif 000005
【図５】
0004183322.tif 000006
【図６】
0004183322.tif 000007
【図７】
0004183322.tif 000008
【図８】
0004183322.tif 000009
【図９】
0004183322.tif 000010